(57)【要約】    【課題】車両内と車両外で音声データの出力先を切り替えるシステムにおいて、音質を低下させることなく、素早い切り替えが可能なものを提供する。    【解決手段】  環境認識部１０１において、マイク１１より出力される音声信号中に特定の音声波形パターンが含まれるか判定し、含まれる場合は受信デバイス選択部１０４へその旨を示す信号を出力する。この信号を受信した受信デバイス選択部１０４は、無線部１０５に対してその動作を停止するためのオフ信号を出力する。このオフ信号により、携帯オーディオ機２および携帯電話３とのＢＴ通信回線を切断する。その後、携帯オーディオ機２および携帯電話３と車載装置との間で新たにＢＴ通信回線を確立する。【選択図】図４
2006173893.tif 000002
【特許請求の範囲】
【請求項１】
各種のコンテンツデータを無線送信する携帯可能なデータ送信装置と、
前記データ送信装置より無線送信される各種コンテンツデータを受信して再生出力する携帯可能なデータ再生装置と、
車両に搭載され、前記データ送信装置より無線送信される各種コンテンツデータを受信して車両内で再生出力する車載装置とを有し、
前記データ再生装置は、
前記データ送信装置との通信回線を確立する携帯無線通信手段と、
前記データ再生装置自体の現在位置が車両内であるか否かを判定する周囲環境判定手段と、
前記周囲環境判定手段により前記現在位置が車両内であると判定された場合、前記無線通信手段により確立された通信回線を切断する回線切断手段とを備え、
前記車載装置は、
前記回線切断手段によって通信回線を切断されたデータ送信装置との通信回線を確立する車載無線通信手段を備えることを特徴とするデータ再生システム。
【請求項２】
請求項１のデータ再生システムにおいて、
前記車載装置は、予め設定された特定の音声波形パターン特性を有する音声を車両内に備えられたスピーカより発生する音声発生手段をさらに備え、
前記データ再生装置は、外部より入力される音声に基づく音声信号を出力する音声信号出力手段をさらに備え、
前記周囲環境判定手段は、前記音声信号出力手段によって出力された音声信号中に前記特定の音声波形パターン特性が含まれる場合、前記現在位置が車両内であると判定することを特徴とするデータ再生システム。
【請求項３】
請求項２のデータ再生システムにおいて、
前記データ送信装置は複数存在し、
前記データ再生装置は、前記複数のデータ送信装置のうち前記携帯無線通信手段によって通信回線を確立するデータ送信装置を予め登録する登録手段と、前記特定の音声波形パターン特性を複数種類記憶する音声波形パターン記憶手段とをさらに備え、
前記登録手段は、前記複数のデータ送信装置のいずれかを登録する際に、前記音声信号出力手段によって出力された音声信号中に前記音声波形パターン記憶手段によって記憶されている複数種類の音声波形パターン特性のいずれかが含まれる場合は、そのデータ送信装置と音声波形パターン特性とを関連付けて登録し、
前記周囲環境判定手段は、前記音声信号出力手段によって出力された音声信号中に前記複数集類の音声波形パターン特性のいずれかが含まれる場合、前記現在位置が車両内であると判定し、
前記回線切断手段は、前記周囲環境判定手段により前記現在位置が車両内であると判定された場合、前記無線通信手段により確立された通信回線のうち、前記登録手段により前記音声信号中に含まれる音声波形パターンと関連付けて登録されたデータ送信装置との通信回線のみを切断することを特徴とするデータ再生システム。
【請求項４】
請求項１〜３のいずれかのデータ再生システムにおいて、
前記データ再生装置は、前記回線切断手段により前記通信回線を切断された後に、前記周囲環境判定手段により前記現在位置が車両内ではないと判定された場合、前記携帯無線通信手段に前記通信回線を再び確立させる回線再確立手段をさらに備えることを特徴とするデータ再生システム。
【請求項５】
請求項１〜４のいずれか一項に記載されたデータ再生装置。
【請求項６】
請求項１〜４のいずれか一項に記載された車載装置。
【請求項７】
各種のコンテンツデータを無線送信する携帯可能なデータ送信装置と、
前記データ送信装置より無線送信される各種コンテンツデータを受信して再生出力する携帯可能なデータ再生装置と、
車両に搭載され、前記データ送信装置より無線送信される各種コンテンツデータを受信して車両内で再生出力する車載装置とを有するデータ再生システムにおけるデータ再生方法であって、
前記データ再生装置により、前記データ送信装置との通信回線を確立した後に前記データ再生装置自体の現在位置が車両内であるか否かを判定し、車両内であると判定した場合、前記確立された通信回線を切断し、
前記車載装置により、前記通信回線を切断されたデータ送信装置との通信回線を確立することを特徴とするデータ再生方法。
【発明の詳細な説明】
【技術分野】
【０００１】
本発明は、車両内と車両外でデータの出力先を切り替える各種のデータを再生可能なシステムに関する。
【背景技術】
【０００２】
屋内のスピーカや、車両に搭載されたスピーカ、携帯用のヘッドフォンなど、各種の音声出力デバイスと無線接続される携帯型オーディオ再生装置において、周囲の環境情報を検出し、その検出結果に応じていずれかの出力デバイスを選択して音声データを送信することにより、音声の出力先を切り替えるものが知られている（特許文献１）。
【０００３】
【特許文献１】特開２００２−９４３９６号公報
【発明の開示】
【発明が解決しようとする課題】
【０００４】
特許文献１に開示されるオーディオ再生装置は、予め登録された出力デバイスが周囲に存在するか否かを環境情報として一定時間ごとに検出し、その検出結果に従って音声データの送信先をいずれかの出力デバイスに切り替える。このとき、各出力デバイスからそれぞれ出力される無線信号を検出することにより、その出力デバイスの存在を検出することができる。しかし、この無線信号の検出は、選択中の出力デバイスに対する音声データの送信と並行して行う必要がある。したがって、検出周期を短くして出力デバイス間の切り替えを素早く行うためには、音質を下げて音声データ量を減らさなければならず、逆に音質を上げるためには、検出周期を長くしなければならない。したがって、車両内と車両外で音声データの出力先を切り替えるシステムにおいて、音質を低下させることなく、素早い切り替えが可能なものが求められている。
【課題を解決するための手段】
【０００５】
本発明によるデータ再生システムは、各種のコンテンツデータを無線送信する携帯可能なデータ送信装置と、データ送信装置より無線送信される各種コンテンツデータを受信して再生出力する携帯可能なデータ再生装置と、車両に搭載され、データ送信装置より無線送信される各種コンテンツデータを受信して車両内で再生出力する車載装置とを有し、
データ再生装置は、データ送信装置との通信回線を確立する携帯無線通信手段と、そのデータ再生装置自体の現在位置が車両内であるか否かを判定する周囲環境判定手段と、周囲環境判定手段により現在位置が車両内であると判定された場合、無線通信手段により確立された通信回線を切断する回線切断手段とを備え、車載装置は、回線切断手段によって通信回線を切断されたデータ送信装置との通信回線を確立する車載無線通信手段を備えるものである。
【発明の効果】
【０００６】
本発明によれば、データ再生装置自体の現在位置が車両内であるか否かを判定し、車両内であると判定された場合、データ再生装置とデータ送信装置との間で確立された通信回線を切断して、車載装置とデータ送信装置との通信回線を確立することとした。このようにしたので、車両内と車両外で音声データの出力先を切り替えるシステムにおいて、音質を低下させることなく、素早い切り替えが可能となる。
【発明を実施するための最良の形態】
【０００７】
本発明の一実施形態による音楽再生システムを図１に示す。この音楽再生システムは、ユーザが携帯しているリモコン１、携帯オーディオ機２、携帯電話３およびヘッドフォン４と、車両に搭載されている車載装置５によって構成されている。図１（ａ）は、たとえば屋外などの車両外における使用形態の例を示しており、これには車載装置５が含まれていない。（ｂ）は、車両内における使用形態の例を示している。
【０００８】
（ａ）に示す車両外の使用形態では、リモコン１とヘッドフォン４は有線接続されている。また、リモコン１と携帯オーディオ機２および携帯電話３は無線接続されている。この無線接続にはBluetooth（登録商標）が用いられる。Bluetooth（以下、ＢＴと略す）は、広く実用化されている近距離無線通信方式の１つであり、通常１０ｍ以内の機器間における無線通信を行うことができる。
【０００９】
ユーザによって携帯可能なリモコン１は、図２に示すマイク１１、表示部１２、ヘッドフォンジャック１３および操作部１４を有している。また、内部にリモコン制御部１０を有している。リモコン制御部１０は、携帯オーディオ機２や携帯電話３を用いて様々な制御処理を実行する。たとえば、ＢＴ通信を用いて携帯オーディオ機２を制御することにより、携帯オーディオ機２に記録蓄積されている音楽データをＢＴ通信により送信させ、これを受信してヘッドフォン４に再生出力する。これにより、ユーザに音楽を聞かせることができる。
【００１０】
または、携帯電話３を用いて通話をするときに、マイク１１から出力されるユーザの音声信号をＢＴ通信により携帯電話３に送信するとともに、通話相手からの音声信号をＢＴ通信により携帯電話３から送信させ、これを受信してヘッドフォン４に再生出力する。これにより、ユーザは携帯電話３を持たずに通話が可能となり、ハンズフリー通話を実現することができる。さらに、マイク１１から出力されるユーザの音声信号に基づいて音声認識処理を実行し、その認識結果に応じた各種の制御信号を、ＢＴ通信を用いて携帯オーディオ機２や携帯電話３に送信する。これにより、携帯オーディオ機２や携帯電話３の動作をユーザが発する音声によって制御することができる。なお、リモコン制御部１０における処理内容については、後で図４を用いて詳細に説明する。
【００１１】
マイク１１は、ユーザが発する音声を検出して、その音声信号をリモコン制御部１０に出力する。この音声信号を用いて、リモコン制御部１０において上記のような様々な処理が行われる。表示部１２は、再生中の楽曲のタイトルや再生時間、携帯電話３に電話着信があったときの電話番号表示など、各種の情報を表示してユーザに提供する。
【００１２】
ヘッドフォンジャック１３は、ヘッドフォン４を有線接続するための端子であり、ここにはヘッドフォン４からのケーブルの先に付けられたプラグが繋げられる。操作部１４は、再生、停止、楽曲の頭だしなどの操作を携帯オーディオ機２に対して行うための各種の操作ボタンや、音量調節つまみ等によって構成される。ユーザが操作部１４において行った操作入力内容は、ＢＴ通信を用いてリモコン１から携帯オーディオ機２へと送信され、それに応じて携帯オーディオ機２の動作が制御される。
【００１３】
以上説明したような構成により、車両から離れた位置にいるときには、ユーザが携帯する携帯オーディオ機２に記録蓄積された音楽データをヘッドフォン４から再生出力することができる。また、携帯電話３を用いてハンズフリー通話を行うことができる。
【００１４】
ユーザが車外から車両内に移動すると、（ｂ）に示す使用形態に移行する。この使用形態では、携帯オーディオ機２および携帯電話３が、前述のリモコン１ではなく車載装置５に無線接続される。この無線接続には、リモコン１に接続される場合と同様にＢＴ通信が用いられる。
【００１５】
車載装置５は、車載制御部５０、表示操作部５１、スピーカ５２および５３、およびマイク５４を有している。車載制御部５０は、図３に示すように無線部５０１、発信音発生部５０２およびアンテナ５０３を有しており、車両のエンジンがオンされた時に車両から出力されるイグニッション信号が入力されたときに、電源が投入されて以下に説明するような動作を開始する。
【００１６】
車載制御部５０の無線部５０１は、アンテナ５０３を介して携帯オーディオ機２や携帯電話３との間でＢＴ通信を行う。これにより、携帯オーディオ機２に記録蓄積された音楽データをスピーカ５２および５３に再生出力することができる。また、マイク５４から出力される音声信号をＢＴ通信により携帯電話３に送信するとともに、通話相手からの音声信号をＢＴ通信により携帯電話３から送信させて、スピーカ５２および５３に再生出力することにより、携帯電話３を用いてハンズフリー通話を行うことができる。
【００１７】
発信音発生部５０２は、車載制御部５０に電源が投入されている間、予め設定された特定の音声波形パターン特性を有する音声信号をスピーカ５２および５３に出力する。この音声波形パターンの例を図５に示す。図５において、水平方向の軸は時間を表し、垂直方向の軸は発生される音圧レベルを表している。このように、「０」に対応する無音部分と、「１」に対応する特定の周波数部分とを、決められたパターンに従って交互に繰り返すことにより、他の音声と識別可能な特有の音声をスピーカ５２および５３において発生することができる。なお、こうした特有の音声は、音楽や通話音声など他の音声に重畳して出力することもできる。さらに、「１」に対応する部分の周波数を変えることで、こうした特有の音声を複数種類同時に出力することもできる。
【００１８】
図５の信号波形パターンにおいて、「１」に対応する部分は、人間には聞こえない可聴帯域外の周波数とすることが好ましい。このようにすれば、ユーザは発生する音声を気にせずに済む。なお、図５に示した音声波形パターンは一例であって、他の音声波形パターンであっても構わない。たとえば、特定の周波数成分を組み合わせたトーン信号などであってもよい。
【００１９】
上記のような特有の音声がリモコン１のマイク１１において検出されると、図１（ｂ）に示すように、それまでリモコン１と携帯オーディオ機２および携帯電話３との間で確立されていたＢＴ通信回線が切断される。その後、携帯オーディオ機２および携帯電話３からそれぞれ送信される接続要求を車載装置５の無線部５０１において受信することにより、車載装置５と携帯オーディオ機２および携帯電話３との間で新たにＢＴ通信回線が確立される。その結果、図１（ａ）から（ｂ）に示す使用形態へと移行する。
【００２０】
表示操作部５１は、車室内の見やすい位置、たとえばダッシュボード前面などに設置されており、再生中の楽曲のタイトルや再生時間、携帯電話３に電話着信があったときの電話番号表示など、各種の情報を表示してユーザに提供する。また、再生、停止、楽曲の頭だし、音量調節などの操作を携帯オーディオ機２に対して行うための各種の操作ボタンを備えている。なお、表示操作部５１は車室内に設置される他の各種装置、たとえばナビゲーション装置などと兼用してもよい。
【００２１】
スピーカ５２および５３は車室内に設置されており、前述のように携帯オーディオ機２に記録蓄積された音楽データを再生出力したり、携帯電話３を用いたハンズフリー通話時に通話相手からの音声信号を再生出力したりするのに用いられる。マイク５４は、ユーザが発する音声を検出して、その音声信号を車載装置５に出力する。
【００２２】
以上説明したような構成により、車両内にいるときには、携帯オーディオ機２に記録蓄積された音楽データを車室内のスピーカ５２および５３から再生出力することができる。また、携帯電話３を用いてハンズフリー通話を行うことができる。
【００２３】
次に、図４に示すシステムブロック図を用いて、車両外の使用時におけるリモコン１、携帯オーディオ機２および携帯電話３の動作を説明する。リモコン１は、リモコン制御部１０として、環境認識部１０１、電話音声データ生成部１０２、制御信号生成部１０３、受信デバイス選択部１０４、無線部１０５、音声データ復元部１０６およびアンテナ１０７を有している。携帯オーディオ機２は、オーディオデータ生成部２１、無線部２２およびアンテナ２３を有している。携帯電話３は、電話音声データ生成部３１、電話音声データ復元部３２、無線部３３およびアンテナ３４を有している。
【００２４】
携帯オーディオ機２は、無線部２２からアンテナ２３を介して送信するＢＴ無線信号により、リモコン１との間で通信回線が確立された後にＢＴ通信を行う。そして、リモコン１からＢＴ通信により送信される操作信号を、アンテナ２３を介して無線部２２により受信し、その内容に応じて、オーディオデータ生成部２１において記録蓄積されている音楽データを楽曲の再生順に無線部２２へ出力する。この音楽データは、ＢＴ通信によって無線部２２からアンテナ２３を介してリモコン１に無線送信され、リモコン１においてヘッドフォン４に再生出力される。
【００２５】
携帯電話３は、無線部３３からアンテナ３４を介して送信するＢＴ無線信号により、リモコン１との間で通信回線を確立した後にＢＴ通信を行う。そして、リモコン１からＢＴ通信により送信される通話要求を、アンテナ３４を介して無線部３３により受信すると、通話相手との電話回線確立後、通話相手からの音声信号に基づく電話音声データを電話音声データ生成部３１において生成し、無線部３３へ出力する。この電話音声データは、ＢＴ通信によって無線部３３からアンテナ３４を介してリモコン１に送信され、リモコン１においてヘッドフォン４に再生出力される。また、リモコン１からＢＴ通信により送信されるユーザの電話音声データを、アンテナ３４を介して無線部３３により受信し、電話音声データ復元部３２へ出力する。この電話音声データは、電話音声データ復元部３２において音声信号に復元され、電話回線を経由して通話相手に送信される。
【００２６】
リモコン１は、環境認識部１０１において、マイク１１より出力される音声信号を入力し、その音声信号に基づいて音声認識処理を行う。そして、音声認識結果を制御信号生成部１０３へ出力する。制御信号生成部１０３は、この音声認識結果に基づいて各種の制御信号を生成し、無線部１０５へ出力する。無線部１０５へ出力された制御信号は、ＢＴ通信によって無線部１０５からアンテナ１０７を介して、携帯オーディオ機２の無線部２２や携帯電話３の無線部３３へと送信される。これにより前述したように、携帯オーディオ機２や携帯電話３の動作をユーザが発する音声によって制御することができる。
【００２７】
またリモコン１は、携帯電話３を用いたハンズフリー通話中には、環境認識部１０１において、マイク１１より出力されるユーザからの音声信号を電話音声データ生成部１０２へ出力する。電話音声データ生成部１０２は、この音声信号に基づいて電話音声データを生成し、無線部１０５へ出力する。無線部１０５へ出力された電話音声データは、ＢＴ通信により無線部１０５からアンテナ１０７を介して、携帯電話３へと送信される。携帯電話３では、これを前述のように無線部３３において受信し、さらに電話音声データ復元部３２において音声信号に復元した後に、電話回線を経由して通話相手に送信する。また、無線部１０５において、前述のように携帯電話３からＢＴ通信により送信される通話相手からの電話音声データを受信して、音声データ復元部１０６に出力する。音声データ復元部は、この電話音声データを音声信号に復元し、ヘッドフォンジャック１３を介してヘッドフォン４に再生出力する。
【００２８】
さらにリモコン１は、環境認識部１０１において、マイク１１より出力される音声信号を入力し、その音声信号中に前述の図５に示したような特定の音声波形パターンが含まれるか否かを判定する。そして、特定の音声波形パターンが含まれる場合には、現在位置が車両内であると判定して、受信デバイス選択部１０４へその旨を示す信号を出力する。この信号を受信した受信デバイス選択部１０４は、無線部１０５に対して、その動作を停止するためのオフ信号を出力する。
【００２９】
上記のようにして受信デバイス選択部１０４から無線部１０５に対してオフ信号が出力されると、無線部１０５は携帯オーディオ機２および携帯電話３とのＢＴ通信回線を切断し、その動作を停止する。すると、リモコン１とのＢＴ通信回線を切断された携帯オーディオ機２と携帯電話３は、車載装置５とのＢＴ通信回線が新たに確立され、前述したように車両内の使用形態へと移行する。このようにして、車両外から車両内に移動すると、図１（ａ）の使用形態から（ｂ）の使用形態に移行する。
【００３０】
図６は、車載装置５の車載制御部５０において実行されるフローチャートである。このフローチャートは、車両からイグニッション信号が入力されて電源が投入されたときに実行開始される。ステップＳ１０１では、発信音発生部５０２により、前述した特定の音声波形パターンを有する音声をスピーカ５２および５３から発生する。ステップＳ１０２では、携帯オーディオ機２や携帯電話３からのＢＴ接続要求があるか否かを判定する。ＢＴ接続要求があればステップＳ１０３へ進み、無線部５０１により、その機器とのＢＴ通信回線を確立する。ステップＳ１０３を実行したら次のステップＳ１０４へ進む。一方、ＢＴ接続要求がない場合は、ステップＳ１０３を実行せずにステップＳ１０４へ進む。
【００３１】
ステップＳ１０４では、車両からのイグニッション信号が入力されているか否かを判定する。入力されている場合はステップＳ１０２へ戻り、入力されていない場合はステップＳ１０５へ進む。ステップＳ１０５では、携帯オーディオ機２や携帯電話３との間で確立されているＢＴ通信回線を切断する。その後、ステップＳ１０６で電源をオフして、図６のフローチャートを終了する。
【００３２】
一方、リモコン１のリモコン制御部１０では、図７に示すフローチャートが実行される。このフローチャートは、リモコン１の電源が投入されることによって実行開始される。ステップＳ２０１では、無線部１０５により、通信可能範囲内に存在するＢＴ接続可能な機器を探索する。
【００３３】
ステップＳ２０２では、ステップＳ２０１の探索の結果、接続可能な機器が存在するか否か、すなわち携帯オーディオ機２や携帯電話３からの応答があったか否かを判定する。接続可能な機器がある場合はステップＳ２０３へ進み、無線部５０１により、その機器とのＢＴ通信回線を確立する。そして、ステップＳ２０４において、ＢＴ通信回線が確立された接続機器をリモコン経由制御に移行させる。これにより、携帯オーディオ機２や携帯電話３がリモコン１によって制御される。ステップＳ２０４を実行したら次のステップＳ２０５へ進む。一方、ステップＳ２０２において接続可能な機器がないと判定した場合は、ステップＳ２０３、Ｓ２０４を実行せずにステップＳ２０５へ進む。
【００３４】
ステップＳ２０５では、環境認識部１０１において、マイク１１より出力される音声信号の波形により、前述した特定の音声波形パターンに一致する波形が含まれるか否かを判定する。特定の音声波形パターンに一致する波形が含まれる場合は、車室内に設置されたスピーカ５２または５３が付近に存在していることになるため、これによってリモコン１自体の現在位置が車両内であるか否かを判定することができる。一致する場合はステップＳ２０６へ進み、一致しない場合はステップＳ２１０へ進む。以下、ステップＳ２０６へ進んだ場合から先に説明する。
【００３５】
ステップＳ２０６では、ステップＳ２０３においてＢＴ通信回線が確立された接続機器のリモコン経由制御を解除し、次のステップＳ２０７では、その接続機器を接続要求モードへ移行させる。ステップＳ２０８では、受信デバイス選択部１０４から無線部１０５へオフ信号を出力することにより、無線部１０５においてＢＴ通信回線を切断する。これにより、リモコン１と携帯オーディオ機２や携帯電話３との間で確立されていたＢＴ通信回線が切断され、その後に、携帯オーディオ機２や携帯電話３から車載装置５に対してＢＴ接続要求が送信される。その結果、図６のステップＳ１０３において、車載装置５と携帯オーディオ機２や携帯電話３とのＢＴ通信回線が新たに確立され、車両外の使用形態から車両内の使用形態へと移行する。
【００３６】
ステップＳ２０９では、ステップＳ２０５と同様に、環境認識部１０１において、マイク１１より出力される音声信号の波形により、前述した特定の音声波形パターンに一致する波形が含まれるか否かを判定する。そして、一致する波形が含まれると判定したときに、ステップＳ２０１へ戻ってＢＴ機器の探索を再び行い、上記で説明した処理を繰り返す。このようにすることで、ステップＳ２０８において通信回線を切断された後でも、現在位置が車両内ではないと判定された場合は、ステップＳ２０３において、無線部５０１に携帯オーディオ機２や携帯電話３との通信回線を再び確立させることができる。
【００３７】
次に、ステップＳ２０５からＳ２１０へ進んだ場合について説明する。ステップＳ２１０では、ユーザによって電源オフの操作が行われたか否かを判定する。電源オフ操作があった場合はステップＳ２１１へ進み、なかった場合はステップＳ２０２へ戻って上記の処理を繰り返す。なお、電源オフの操作は、操作部１４によって行うことができる。
【００３８】
ステップＳ２１１では、接続しているＢＴ機器を停止する。すなわち、携帯オーディオ機２における音楽データ再生や、携帯電話３におけるハンズフリー通話を中止する。ステップＳ２１２では、受信デバイス選択部１０４から無線部１０５へオフ信号を出力することにより、無線部１０５においてＢＴ通信回線を切断する。なお、この場合はステップＳ２０８においてＢＴ通信回線を切断した場合と異なり、接続機器を接続要求モードとしていないため、ＢＴ通信回線が切断された後に、携帯オーディオ機２や携帯電話３から車載装置５に対してＢＴ接続要求が送信されることはない。その後、ステップＳ２１３で電源をオフして、図７のフローチャートを終了する。
【００３９】
なお、リモコン１では、ＢＴ通信を行う機器を予め登録しておくことができる。このとき、車両内にいると判断するための前述の特定の音声波形パターンをリモコン１において予め複数種類記憶させておき、登録時にそのいずれかによる音声を車載装置５から発生させてマイク１１により検出することで、登録対象機器と音声波形パターン特性とを関連付けて登録することができる。そして、上記で説明したように、車両外から車両内に移動して、リモコン１と携帯オーディオ機２や携帯電話３などのＢＴ通信機器とのＢＴ接続を切断する際に、その音声波形パターンと関連付けて登録されている機器のみを切断することができる。その結果、車両外から車両内に移動したときにＢＴ接続を切断する機器を予め指定できるとともに、登録時にいた車両内に移動した場合だけＢＴ接続を切断し、他の車両内に移動してもＢＴ接続を切断しないようにすることができる。
【００４０】
以上説明した登録処理を行う際にリモコン１において実行されるフローチャートを図８に示す。このフローチャートは、リモコン１を操作して登録メニューを起動させることにより実行開始される。ステップＳ３０１では、無線部１０５により、通信可能範囲内に存在する未登録のＢＴ機器を探索する。ステップＳ３０２では、ステップＳ３０１の探索に対して応答があったＢＴ機器の中に、未登録のＢＴ機器が存在するか否かを判定する。未登録のＢＴ機器があった場合はステップＳ３０３へ進む。一方、未登録のＢＴ機器がなかった場合は、図８のフローチャートを終了する。
【００４１】
ステップＳ３０３では、環境認識部１０１において、マイク１１より出力される音声信号中に、前述した音声波形パターンに一致するものが含まれているか否かを判定する。このとき、リモコン１には予め複数種類の音声波形パターンが記憶されており、そのうちのいずれかに一致すればよい。一致する場合はステップＳ３０４へ進み、登録対象機器と音声波形パターンとを関連付けて登録する。一方、いずれの音声波形パターンにも一致しない場合はステップＳ３０５へ進む。この場合は、登録対象機器のみを登録し、音声波形パターンと関連付けた登録は行わない。ステップＳ３０４またはＳ３０５を実行したら、図８のフローチャートを終了する。
【００４２】
以上説明したようにして、ステップＳ３０４において音声波形パターンと関連付けて登録された機器は、リモコン１においてその関連付けられた音声波形パターンに一致する音声信号が検出されることにより、リモコン１とのＢＴ通信回線が切断されて車載装置５に接続される。一方、ステップＳ３０５において音声波形パターンと関連付けせずに登録された機器は、車両内でもリモコン１とのＢＴ無線回線は切断されず、車載装置５には接続されない。
【００４３】
以上説明した実施の形態によれば、次の作用効果を奏することができる。
（１）リモコン１において、環境認識部１０１により、リモコン１自体の現在位置が車両内であるか否かを判定する。具体的には、車載装置５において、発信音発生部５０２により、予め設定された特定の音声波形パターン特性を有する音声をスピーカ５２および５３より発生する（ステップＳ１０１）。そして、リモコン１において、マイク１１より出力された音声信号中に予め設定された特定の音声波形パターン特性が含まれる場合に、リモコン１自体の現在位置が車両内であると判定する（ステップＳ２０５）。こうして現在位置が車両内であると判定された場合は、リモコン１において、受信デバイス選択部１０４から無線部１０５へオフ信号を出力することにより、無線部１０５によって携帯オーディオ機２や携帯電話３との間で確立されたＢＴ通信回線を切断する（ステップＳ２０８）。その後、車載装置５において、無線部５０１により、通信回線を切断された携帯オーディオ機２や携帯電話３との通信回線を確立することとした（ステップＳ１０３）。このようにしたので、携帯オーディオ機２や携帯電話３から送信する音声データの出力先を車両内と車両外でリモコン１と車載装置５のいずれかに切り替える本システムにおいて、音声データの音質を低下させることなく、素早い切り替えが可能となる。
【００４４】
また上記のようにすることにより、車両内においては携帯オーディオ機や携帯電話のＢＴ通信の接続先を他の装置、たとえば車両付近に設置されたＢＴ通信機能を有するオーディオアンプなどと間違えることなく、確実に車載装置と接続することができる。さらに、車両内ではリモコンと携帯オーディオ機や携帯電話とのＢＴ通信回線が自動的に切断されるため、運転者はリモコンを使用することができなくなる。その結果、運転中にヘッドフォンを使用することによる聴覚への妨げや、運転中のリモコン操作によって生じる運転ミスなどを回避して、運転中の安全性を確保することができる。
【００４５】
（２）リモコン１において、車両内にいると判断するための特定の音声波形パターン特性を複数種類記憶しておき、ＢＴ通信機器を登録する際に、マイク１１より出力された音声信号中にその音声波形パターンのいずれかが含まれる場合は（ステップＳ３０３）、そのＢＴ通信機器と音声波形パターン特性とを関連付けて登録する（ステップＳ３０４）。そして、環境認識部１０１によって現在位置が車両内であると判定された場合、当該音声波形パターンと関連付けて登録されたＢＴ通信機器の通信回線のみを切断する。このようにすれば、車両外から車両内に移動したときにＢＴ接続を切断する機器を予め指定できるとともに、登録時にいた車両内に移動した場合だけＢＴ接続を切断し、他の車両内に移動してもＢＴ接続を切断しないようにすることができる。
【００４６】
（３）リモコン１において、携帯オーディオ機２や携帯電話３との間で確立されていたＢＴ通信回線がステップＳ２０８で切断された後に、環境認識部１０１により現在位置が車両内ではないと判定された場合は（ステップＳ２０９）、無線部１０５に携帯オーディオ機２や携帯電話３との通信回線を再び確立させることとした（ステップＳ２０１)。このようにしたので、車両外に出たときには、自動的にリモコンと携帯オーディオ機や携帯電話を再接続することができる。
【００４７】
なお、上記の実施の形態では、携帯オーディオ機２からの音楽データや携帯電話３からの音声データを再生出力する例を説明したが、それ以外の内容のデータを再生出力してもよい。たとえば、映像データを画面表示するようなものであってもよい。本発明は実施の形態の内容に限定されるものではなく、各種のコンテンツデータを再生出力するシステムについて適用可能である。
【００４８】
また、上記の実施の形態では、車両のエンジンがオンされた時に車両から出力されるイグニッション信号が入力されることによって車載装置が動作することとしていたが、たとえば車両のドアを開錠するキーレスエントリー信号によって動作することとしてもよい。ユーザが車両内または車両付近にいることが分かるタイミングであれば、どのような方法で車載装置を動作させてもよい。
【００４９】
上記の実施形態では、データ送信装置を携帯オーディオ機２および携帯電話３、データ再生装置をリモコン１によってそれぞれ実現している。そして、データ再生装置の携帯無線通信手段を無線部１０５、周囲環境判定手段を環境認識部１０１、回線切断手段を受信デバイス選択部１０４、音声信号出力手段をマイク１１によってそれぞれ実現している。また、車載装置の車載無線通信手段と音声発生手段を、無線部５０１と発信音発生部５０２によってそれぞれ実現している。しかし、これらはあくまで一例であって、本発明の特徴が損なわれない限り、各構成要素は上記実施の形態に限定されない。
【図面の簡単な説明】
【００５０】
【図１】本発明の一実施形態による音楽再生システムを示す図である。
【図２】リモコンの構成を示す図である。
【図３】車載装置の構成を示す図である。
【図４】車両外の使用時におけるリモコン、携帯オーディオ機および携帯電話の動作を説明するためのシステムブロック図である。
【図５】音声波形パターンの例を示す図である。
【図６】車載装置の車載制御部において実行されるフローチャートである。
【図７】リモコンのリモコン制御部において実行されるフローチャートである。
【図８】ＢＴ通信機器の登録処理を行う際にリモコンにおいて実行されるフローチャートである。
【符号の説明】
【００５１】
１：リモコン
２：形態オーディオ機
３：携帯電話
４：ヘッドフォン
５：車載装置
１０：リモコン制御部
１１：マイク
１２：表示部
１３：ヘッドフォンジャック
１４：操作部
２１：オーディオデータ生成部
２２：無線部
２３：アンテナ
３１：電話音声データ生成部
３２：電話音声データ復元部
３３：無線部
３４：アンテナ
５０：車載制御部
５１：表示操作部
５２、５３：スピーカ
５４：マイク
【図１】
2006173893.tif 000003
【図２】
2006173893.tif 000004
【図３】
2006173893.tif 000005
【図４】
2006173893.tif 000006
【図５】
2006173893.tif 000007
【図６】
2006173893.tif 000008
【図７】
2006173893.tif 000009
【図８】
2006173893.tif 000010